(57)【要約】      （修正有）【課題】複雑な形状ではなく、シンプルな形状で多種多様に変形し、頭部，首などの保温，保冷などに使うことができ、シンプルな形状だからこそ携帯しやすく、また、洗濯や収納する場合、衣服同様に扱うことができるロングループマフラーを提供する。【解決手段】形状を筒状のネックウォーマーの何倍も大きなリング状にし、横に伸縮性のあるニット生地で形成した編物品で、横幅Ｗが５４〜６４ｃｍで長さＬが３０〜４０ｃｍで、幅方向に伸ばすと約２ｃｍ伸びる。この大きさにより、マフラー、帽子、フルフェイスマスクなど、一つの編物品で様々な使い方ができる。また、リバーシブルにすることによって、更なるバリエーションを表現することが可能になる。【選択図】図１
0003200408.tif 000002
【実用新案登録請求の範囲】
【請求項１】
リング状の横幅Ｗが５４〜６４ｃｍで長さＬが３０〜４０ｃｍで、幅方向に伸ばすと約２ｃｍ伸び、表側生地と裏側生地の二枚別々の生地を合わせてなるロングループマフラーであって，そのリング状のロングループマフラーを一回又は二回と捩じることによって、様々な頭のサイズに対応してネックウォーマーやフェイスマスク等に使用することができることを特徴とするロングループマフラー。
【請求項２】
表側生地と裏側生地がメリヤス編みのニット生地で、表側生地の素材がアクリル６２〜９７％とポリウレタン３〜５６％からなり、裏側生地の素材がポリエステル３８〜９５％とポリウレタン３〜４８％からなることを特徴とする請求項１記載のロングループマフラー。
【請求項３】
表側生地と裏側生地がメリヤス編みのニット生地で、表側生地の素材が綿１０〜６５％とアクリル５〜８５％からなり、裏側生地の素材がポリエステル６５〜１００％からなることを特徴とする請求項１記載のロングループマフラー。
【請求項４】
表側生地と裏側生地との色及びまたは模様を変えることによってリバーシブルとしたことを特徴とする請求項１記載のロングループマフラー。
【考案の詳細な説明】
【技術分野】
【０００１】  本考案は、伸縮性のあるネックウォーマーやニットキャップに使用することができ、その結果、首、頭部、頬、耳などを一枚で同時に保温・保護することができるロングループマフラーに関するものである。
【背景技術】
【０００２】  従来のマフラー、ネックウォーマー、フェイスマスクなどは本来、首や頬を防寒するものだが、一枚で首や頬だけでなく、同時に帽子の代わりとして頭部や耳も防寒できれば、更に保温・保護などに優れたものとなる。
また、保温・通気性及び防水性・防雪性などに優れた生地を使用することによって機能性が増し、そのような生地と生地を組み合わすことによって、保温用衣料品として更に利用の厚みが増すことになる。
従来のマフラーやネックウォーマーとして例えば次のようなものが提案されている。【０００３】
【特許文献１】実用新案登録第３１０５９７８号  筒状に編み上げられた伸縮性のある編物品であって、幅が１５〜２０ｃｍ、長さが２０〜２５ｃｍである保温用衣料品が記載されているが、これらは身に付けて保温できる個所が、首か頭のどちらか一か所だけであった。
【特許文献２】実用新案登録第３１３９１２６号  筒状に編み上げられた伸縮性のある編物品であって、幅が１３〜２３ｃｍ長さが１５〜３０ｃｍ、または幅が１５〜２０ｃｍ長さが２０〜２５ｃｍであることを特徴とする多用途衣料品が記載されているが、これらは身に付けて保温できる個所が、首か頭のどちらか一か所だけであった。
【考案の開示】
【考案が解決しようとする課題】
【０００４】  本考案は上記事情に鑑み、保温できる個所が首か頭のどちらか一か所だけではなく、首と頭を両方保温出来るようにする必要があった。老若男女（例えば４〜５歳の子供から８０歳位の老人まで）の様々な頭のサイズに対応する必要があった。
目標としては複雑な形状ではなく、シンプルな形状であり、フルフェイスはもちろん、首だけ、頭だけと、使い分けのできる長さと幅の調整、そして、横に伸縮性があり、保温・保冷・保護などの条件に合う素材（生地）を追求することが重要であり、生地の厚み薄さ，重さ軽さ，通気性など、また、使用した時、肌に不快感がないような素材を追求しないといけない。
尚且つ、日常のファッションとしても使用できることにする。
【課題を解決するための手段】
【０００５】  第１考案のロングループマフラーは、リング状の横幅が５４〜６４ｃｍで長さが３０〜４０ｃｍで、幅方向に伸ばすと約２ｃｍ伸び、表側生地と裏側生地の二枚別々の生地を合わせてなるロングループマフラーであって，そのリング状のロングループマフラーを一回又は二回と捩じることによって、様々な頭のサイズに対応してネックウォーマーやフェイスマスク等に使用することができることを特徴とする。
第２考案のロングループマフラーは、表側生地と裏側生地がメリヤス編みのニット生地で、表側生地の素材がアクリル６２〜９７％とポリウレタン３〜５６％からなり、裏側生地の素材がポリエステル３８〜９５％とポリウレタン３〜４８％からなることを特徴とする。
第３考案のロングループマフラーは、表側生地と裏側生地がメリヤス編みのニット生地で、表側生地の素材が綿１０〜６５％とアクリル５〜８５％からなり、裏側生地の素材がポリエステル６５〜１００％からなることを特徴とする。
第４考案のロングループマフラーは、表側生地と裏側生地との色及びまたは模様を変えることによってリバーシブルとしたことを特徴とする。
【考案の効果】
【０００６】  第１考案のロングループマフラーによれば、伸縮性がある故に、横幅や長さが人体の頭部にも首にも入る大きさであるので、頭部にも被せ、首にも被せることができ、しかも長さを一回又は二回捩ることによって、首、頭部、頬、耳などを一枚で同時に保温・保護することができる。また、第１考案のロングループマフラーによれば、季節によって保温・保冷・保護する為と、御洒落としても使用できる伸縮性のネックウォーマーやニットキャップに使用することができる。更に、第１考案のロングループマフラーによれば、頭の大きい人，首の太い人は一重捩じり、頭の小さい人，首の細い人は二重捩じり、一重二重と捩じる回数を分けるだけで、殆どの人に対応することが可能になる。
第２考案及び第３考案のロングループマフラーによれば、頭に付けたり首に付けたりした時の肌触りが最適であり、生地と生地を組み合わすことによって、保温用衣料品として更に利用の厚みが増すことができる。また、第２考案及び第３考案のロングループマフラーによれば、編み方がメリヤス編みなので、横に伸び伸縮性がある。
第４考案のロングループマフラーによれば、表側生地と裏側生地との色及びまたは模様を変えることによって、ウィンタースポーツや普段のファッションなど、その場面によってデザインを使い分けることができる。
【図面の簡単な説明】
【０００７】
【図１】本考案の一実施形態に係るロングループマフラーの斜視図である。
【図２】同ロングループマフラーの平面図である。
【図３】同ロングループマフラーを横に伸ばす前の状態を示す図である。
【図４】同ロングループマフラーを横に伸ばした後の状態を示す図である。
【図５】同ロングループマフラーをネックウォーマーに使用した形態を示す図である。
【図６】同ロングループマフラーをマフラーに使用した形態を示す図である。
【図７】同ロングループマフラーをフェイスマスクに使用した形態を示す図である。
【図８】同ロングループマフラーをフルフェイスに使用した形態を示す図である。
【図９】同ロングループマフラーをニットキャップに使用した形態を示す図である。
【考案を実施するための形態】
【０００８】  リング状になっている本考案のロングループマフラーは、二枚別々の生地を合わせ、表側生地と裏側生地を変えることによって、リバーシブルとして柄や生地の質感の変化や、使用方法のバリエーションをより多く楽しむことができる。
また、本考案のロングループマフラーを図５から図９のような二重巻の使用形態で身に付けていて、身体が暑くなってきた場合は、その使用形態を変更し、大きなリング状に戻し、首からぶら下げれば暑さから解消される。
【実施例】
【０００９】  以下添付図面に従って、一実施例を説明する。
図１は、本考案の一実施形態に係るロングループマフラー１の斜視図である。図２は、図１の矢印方向から見た、ロングループマフラー１の平面図で、２は、ロングループマフラーの表側生地を示し、３は、ロングループマフラーの裏側生地を示す。ロングループマフラー１の生地の性質としては、完成後、横に伸びるニット生地など伸縮性のある生地が望ましく、編み方はメリヤス編みで作成する。
肌触りの良いロングループマフラー１の第一例の材質配合として、表側生地２は、アクリル６２〜９７％とポリウレタン３〜５６％が最適であり、裏側生地３は、ポリエステル３８〜９５％とポリウレタン３〜４８％が最適である。
また、肌触りの良いロングループマフラー１の第二例の材質配合として、表側生地２は、綿１０〜６５％とアクリル５〜８５％も適しており、裏側生地３は、ポリエステル６５〜１００％も適している。また、素材を選ぶことで、雪の付きにくい防雪タイプ、濡れたら冷たくなるタイプと、素材によって用途，季節（春夏秋冬）に対応することもできる。【００１０】  図３は、ロングループマフラー１を横に伸ばす前の状態を示す図であり、図４は、ロングループマフラー１を横に伸ばした後の状態を示す図である。図３及び図４において、Ｗはロングループマフラー１を伸ばす前の横幅を示し、Ｗ´は、ロングループマフラー１を伸ばした後の横幅を示し、Ｌは、ロングループマフラー１の長さを示す。
長さＬは３０〜４０ｃｍで、図５から図９で使用した時、この長さＬは誰が付けても、短過ぎず長過ぎず丁度良く首や頭を覆うことのできる長さである。伸ばす前の横幅Ｗは５４〜６４ｃｍで、伸ばした後の横幅Ｗ’は、伸ばす前の横幅Ｗに対し約２ｃｍ伸びている。図５から図９で使用する時に、一回二回と捩じれば、誰でも付けることのできる長さである。
様々な首や顔の大きさの人々に試作品を付けてもらい、何人もの人々の意見を聞き、大きさを決定していき、最終的に捩じる回数でサイズの調整ができ、一重二重と使い分けることによって様々な頭のサイズに対応できる。それによって、老若男女（例えば４〜５歳の子供から８０歳位の老人まで）の幅広い層に使用することが可能になった。【００１１】  図５は、ロングループマフラー１をネックウォーマーａに使用した形態を示す図である。
大きなリング状から首に掛け、前の方で捩り、もう一つリングを作る、それから後ろに回して、捩じったリングをそのまま首におろし、首に二重にして使うネックウォーマーａである。
付ける途中、前の方で捩る時に、一回捩りで緩い場合は、捩じる回数を一回から二回と増やせば、大きさ（サイズ）の調整をすることができる。二回捩りでも緩い場合は、捩じる回数を増やせば増やすほどリングが小さくなる。その為、小さな子供にも付けることが可能である。【００１２】  図６は、ロングループマフラー１をマフラーｂに使用した形態を示す図である。大きなリング状から首に掛け、前の方で捩りもう一つリングを作り、そのまま前から首に下ろし、首に二重にして使うマフラー形態である。【００１３】  図７は、ロングループマフラー１をフェイスマスクｃに使用した形態を示す図である。図５のネックウォーマーａの状態から、二重になっている外側か内側を口元に上げれば完成する。内側を上げればよりきつめのフェイスマスクｃが完成する。付ける途中、前の方で捩る時に、一回捩りで緩い場合は、捩じる回数を一回から二回と増やせば、大きさ（サイズ）の調整をすることができる。二回捩りでも緩い場合は、捩じる回数を増やせば増やすほどリングが小さくなる。その為、小さな子供にも付けることが可能である。【００１４】  図８は、ロングループマフラー１をフルフェイスｄに使用した形態を示す図である。大きなリング状から首に掛け、前の方で捩り、もう一つリングを作り、それから後ろに回して、捩じったリングをそのまま頭で止めたら、フルフェイスｄが完成する。
後頭部が開いて気になる場合は、頭部で余っている生地を、後ろの捩じれの個所に入れ込めば完全に塞がる。付ける途中、前の方で捩る時に、一回捩りで緩い場合は、捩じる回数を一回から二回と増やせば、大きさ（サイズ）の調整をすることができる。二回捩りでも緩い場合は、捩じる回数を増やせば増やすほどリングが小さくなる。その為、小さな子供にも付けることが可能である。【００１５】  図９は、ロングループマフラー１をニットキャップｅに使用した形態を示す図である。図８のフルフェイスｄの状態から、首の部分（ネックウォーマーａ）を頭に上げたら、ターバン風のニットキャップｅが完成する。
付ける途中、前の方で捩る時に、一回捩りで緩い場合は、捩じる回数を一回から二回と増やせば、大きさ（サイズ）の調整をすることができる。二回捩りでも緩い場合は、捩じる回数を増やせば増やすほどリングが小さくなる。その為、小さな子供にも付けることが可能である。【００１６】  図５〜図９で、表側生地と裏側生地との色や模様を変えたリバーシブルの場合、表側生地を表面に出るようにしたり、裏側生地を表面に出るようにしたり等の次のようなバリエーションを楽しむことができる。
その一例として、図８のフルフェイスｄなどは、首が表側生地で、頭が裏側生地という組み合わせができ、首と頭で別々の物を身に付けているように見えることができる。
また、図５〜図９の五段階の使い方として、一段階目はネックウォーマーａとして、二段階目はマフラーｂとして、三段階目はフェイスマスクｃとして、四段階目はフルフェイスｄとして、五段階目はニットキャップｅとして使用することができる。その他、膝かけ・防災頭巾（フード）・ギブス・腹巻等にも、更に、女性の場合は、スヌード・ポンチョ・ボレロ・カシュクール等にも使うことができる。
【産業上の利用可能性】
【００１７】  本考案のロングループマフラーは、ウィンタースポーツ全般（スキー・スノーボードなど）は勿論、釣り・サイクリング・登山・アウトドアなどのレジャーとしても、活用することができる。
また、本考案のロングループマフラーの色や模様等のデザイン性を日常生活にも使えるように考えており、通勤・通学・遊び・買い物時などにも、普段のファッションとして楽しむことができる。
【符号の説明】
【００１８】    １    ロングループマフラー
２    ロングループマフラーの表側生地
３    ロングループマフラーの裏側生地
Ｗ    ロングループマフラーを伸ばす前の横幅
Ｗ´  ロングループマフラーを伸ばした後の横幅
Ｌ    ロングループマフラーの長さ
【図１】
0003200408.tif 000003
【図２】
0003200408.tif 000004
【図３】
0003200408.tif 000005
【図４】
0003200408.tif 000006
【図５】
0003200408.tif 000007
【図６】
0003200408.tif 000008
【図７】
0003200408.tif 000009
【図８】
0003200408.tif 000010
【図９】
0003200408.tif 000011
【手続補正書】
【提出日】平成27年7月23日(2015.7.23)
【手続補正１】
【補正対象書類名】実用新案登録請求の範囲
【補正対象項目名】請求項２
【補正方法】変更
【補正の内容】
【請求項２】
表側生地と裏側生地がメリヤス編みのニット生地で、表側生地の素材がアクリル６２〜９７％とポリウレタン３〜３８％からなり、裏側生地の素材がポリエステル３８〜９５％とポリウレタン３〜４８％からなることを特徴とする請求項１記載のロングループマフラー。
【手続補正２】
【補正対象書類名】明細書
【補正対象項目名】０００５
【補正方法】変更
【補正の内容】
【０００５】      第１考案のロングループマフラーは、リング状の横幅が５４〜６４ｃｍで長さが３０〜４０ｃｍで、幅方向に伸ばすと約２ｃｍ伸び、表側生地と裏側生地の二枚別々の生地を合わせてなるロングループマフラーであって，そのリング状のロングループマフラーを一回又は二回と捩じることによって、様々な頭のサイズに対応してネックウォーマーやフェイスマスク等に使用することができることを特徴とする。
第２考案のロングループマフラーは、表側生地と裏側生地がメリヤス編みのニット生地で、表側生地の素材がアクリル６２〜９７％とポリウレタン３〜３８％からなり、裏側生地の素材がポリエステル３８〜９５％とポリウレタン３〜４８％からなることを特徴とする。
第３考案のロングループマフラーは、表側生地と裏側生地がメリヤス編みのニット生地で、表側生地の素材が綿１０〜６５％とアクリル５〜８５％からなり、裏側生地の素材がポリエステル６５〜１００％からなることを特徴とする。
第４考案のロングループマフラーは、表側生地と裏側生地との色及びまたは模様を変えることによってリバーシブルとしたことを特徴とする。
【手続補正３】
【補正対象書類名】明細書
【補正対象項目名】０００９
【補正方法】変更
【補正の内容】
【０００９】      以下添付図面に従って、一実施例を説明する。
図１は、本考案の一実施形態に係るロングループマフラー１の斜視図である。図２は、図１の矢印方向から見た、ロングループマフラー１の平面図で、２は、ロングループマフラーの表側生地を示し、３は、ロングループマフラーの裏側生地を示す。ロングループマフラー１の生地の性質としては、完成後、横に伸びるニット生地など伸縮性のある生地が望ましく、編み方はメリヤス編みで作成する。
肌触りの良いロングループマフラー１の第一例の材質配合として、表側生地２は、アクリル６２〜９７％とポリウレタン３〜３８％が最適であり、裏側生地３は、ポリエステル３８〜９５％とポリウレタン３〜４８％が最適である。
また、肌触りの良いロングループマフラー１の第二例の材質配合として、表側生地２は、綿１０〜６５％とアクリル５〜８５％も適しており、裏側生地３は、ポリエステル６５〜１００％も適している。また、素材を選ぶことで、雪の付きにくい防雪タイプ、濡れたら冷たくなるタイプと、素材によって用途，季節（春夏秋冬）に対応することもできる。